(57)【要約】【課題】  打音に伴うトライアングルの回転を防止して吊り下げ支持し、音響的に最適な位置をたたけるようにする。【解決手段】  略長方形状の板状体１に約４ｃｍ間隔で２対の小孔１１ａ、１１ｂを設け、それぞれの小孔にトライアングルを吊り下げるリング状の２本の細紐２ａ、２ｂを挿通してなり、２本の細紐２ａ、２ｂが互いに交差していることを特徴とする。【選択図】        図１
2005084662.tif 000002
【特許請求の範囲】
【請求項１】
略長方形状の板状体（１）に約４ｃｍ間隔で２対の小孔（１１ａ、１１ｂ）を設け、それぞれの小孔（１１ａ、１１ｂ）にトライアングルを吊り下げるリング状の２本の細紐（２ａ、２ｂ）を挿通してなるトライアングルの吊り下げ支持具であって、前記リング状の２本の細紐（２ａ、２ｂ）が互いに交差していることを特徴とするトライアングルの吊り下げ支持具。
【請求項２】
前記板状体（１）が薄い樹脂板である請求項１に記載のトライアングルの吊り下げ支持具。
【請求項３】
前記板状体（１）が薄い金属板である請求項１に記載のトライアングルの吊り下げ支持具。
【発明の詳細な説明】
【技術分野】
【０００１】  本発明は、トライアングルの吊り下げ支持具に関する。
【背景技術】
【０００２】  トライアングルはオーケストラやブラスバンドで使用される打楽器の一種で、正三角形状に曲げた金属棒の頂点を細紐で吊り下げて左手で支持し、右手に持ったビータと呼ばれる金属棒で三角形の１辺を軽く打って演奏する。チーンという澄んだ金属音を響かせる場合が多いが、ビータを細かく往復させて隣接する２辺の内側を打つことにより連続音を聴かせることもできる。【０００３】  記載された音符の長さ、休符の有無、スタッカートやフェルマータなどの記号によって残響を止めたい場合は楽器に軽くふれることによりこれを行うが、逆に余韻を長く響かせたい場合には楽器にふれることをせず、鳴るに任せるのである。
このように、残響を止める場合は人為的に行うことができるが、響かせたい場合は楽器任せとなるので、トライアングルの吊り下げ支持具としては楽器本来の残響を妨げることのないよう、楽器が自由に振動できるような支持方法が選択される結果、一般に頂点１箇所をできるだけ細いしなやかな紐で吊り下げることが行われている。【０００４】  従来使用されている吊り下げ支持具の一例を図４、図５で説明する。図４はこの吊り下げ支持具の斜視図で３は指当て、３１は指当て３に設けられた一対の小孔、２ｃはこの小孔３１に挿通されたリング状の細紐である。細紐２ｃは樹脂、織り紐、縒り紐等の細くて丈夫なもの、指当て３は楽器を吊り下げたときに細紐２ｃが指に食い込まないためのもので、一般になめした皮革等のしなやかなものが使用される。【０００５】  図５はこの吊り下げ支持具を使用してトライアングルＴを左手で支持している状態を示す斜視図である。通常人指し指に細紐２ｃを通し、残る４本の指で楽器の上部をかこむように構え、残響を止めたい場合には素早くこれらの指で楽器に触れるのである。
ところが、楽器を１点で吊り下げた状態でその１辺をたたくために、打つことによってモーメントが発生し、連打や１つ打ちを一定のリズムで繰り返す場合などに楽器が回転をはじめ、といって楽器に触れることはできず、演奏が続けられなくなることがしばしばあり、トライアングル演奏における問題点となっている。【０００６】回転を防止することを主眼とするならばそれなりに合理的なたたく位置というものも考えられるが、トライアングルはたたく位置によって微妙に響きが異なるので、回転を気にしていると音楽に合わせた適切な音色を追求することができない。
【発明の開示】
【発明が解決しようとする課題】
【０００７】  本発明は、楽器の響きを損なうことなしに、楽器が回転を始めないように吊り下げ支持する支持具を実現させることを目的とする。
【課題を解決するための手段】
【０００８】  本発明は、略長方形状の板状体に約４ｃｍ間隔で２対の小孔を設け、それぞれの小孔にトライアングルを吊り下げるリング状の２本の細紐を挿通してなるトライアングルの吊り下げ支持具であって、前記リング状の２本の細紐が互いに交差していることを特徴とするトライアングルの吊り下げ支持具である。
【発明の効果】
【０００９】  本発明によれば、これまでと異なり楽器を２方向から吊っているので、いくら強く打っても回転を始めることがなく、しかも音響を何ら損なうことがないので、トライアングルの演奏における問題点が解消し、回転を恐れることなく最適の音色を追求することができ、楽器の性能をフルに発揮させることが可能になるという、すぐれた効果を奏する。
【発明を実施するための最良の形態】
【００１０】  本発明においては、互いに交差している２本のリング状の細紐で楽器を吊り下げるようにした。これを図３により説明する。２本のリング状の細紐が互いに交差しているために、楽器の吊り位置において双方の細紐２ａ、２ｂが接続し、図３（ａ）のようになる。このため、楽器は異なる２方向から引かれ、側面を拘束されるので回転できないが、振動的には１点吊りであり、従来と変わらない残響を得ることができる。かりに２本の細紐が交差していないと、図３（ｂ）に示すように回転は拘束するが楽器を２箇所で吊る形になるので楽器の自由な振動が損なわれ、残響が短い「嗚りのわるい」ものとなってしまう。
【実施例】
【００１１】  本発明の実施例を図面により説明する。図１は実施例の吊り下げ支持具を示す斜視図で、１は略長方形状の板状体、１１ａ、１１ｂはこの板状体１に約４ｃｍ間隔で設けられた２対の小孔、２ａ、２ｂはそれぞれの小孔１１ａ、１１ｂに挿通された２本のリング状の細紐である。２本のリング状の細紐２ａ、２ｂは互いに１回交差している。【００１２】  図２はこの実施例の吊り下げ支持具を使用してトライアングルを奏者の左手に吊り下げ支持した状態を示す斜視図である。２本のリング状の細紐１１ａ、１１ｂの中をくぐらせて頂点の位置で楽器を吊り下げる。板状体１は図４で示した従来のものの指当て３よりもやや大きく、また２本の紐２ａ、２ｂが離れているので、指に通さずに板状体１を人指し指と中指の上に載せ、中間に細紐が入るようにすると便利である。残響を止める場合も、これまでと同様に周囲の指で楽器に触れることができる。【００１３】  トライアングルには１辺の長さで４インチから１０インチ程度のものまで大小さまざまあり、棒の太さも１０〜１５ｍｍ程度の種類があるが、吊り下げ位置で見るとそれほど多種類を考慮する必要はない。小孔１１ａ、１１ｂの間隔も楽器ごとに変える必要はあまりない。これを約４ｃｍとしたのは、細紐の長さはこれまでと同様、楽器の棒の太さと指の太さの合計に多少の余裕を加えた程度に限定されるので、間隔がこれ以上だと２本の細紐が開きすぎて板状体１に無理がかかることとなり、またこれ以上狭いと細紐が寄りすぎて楽器の側面を拘束する効果が減少してしまうからである。したがって寸法的に複数の種類を考えるよりも、むしろ最大の楽器を想定して板状体や細紐の強度を設定すれば十分である。板状体１は軽くて耐久性のあるものがよいので、たとえば樹脂板や、ステンレスなどの薄い金属板などが好ましい。細紐は前記したこれまでのものと同様のものが使用できる。
【図面の簡単な説明】
【００１４】
【図１】  実施例の吊り下げ支持具を示す斜視図である。
【図２】  図１に示した実施例の吊り下げ支持具の使用状態を示す斜視図である。
【図３】  本発明における吊り下げ状態を説明する吊り下げ点の説明図である。
【図４】  従来の吊り下げ支持具の一例を示す斜視図である。
【図５】  図４に示した従来の吊り下げ支持具の使用状態を示す斜視図である。
【符号の説明】
１    板状体
２ａ、２ｂ、２ｃ    細紐
３    指当て
１１ａ、１１ｂ、３１    小孔
Ｔ    トライアングル
【図１】
2005084662.tif 000003
【図２】
2005084662.tif 000004
【図３】
2005084662.tif 000005
【図４】
2005084662.tif 000006
【図５】
2005084662.tif 000007